(57)【要約】      （修正有）【課題】駆動源を用いている場合に回転ハンドルが回転状態にあり、駆動源を用いていない場合に回転ハンドルが非回転状態にあることを確実に視認できるバルブ開閉機を提供する。【解決手段】回転ハンドルと、該回転ハンドルを回転自在に軸支するバルブ駆動軸１２と、該バルブ駆動軸を同心状に内装しているハンドル軸支持部と、回転ハンドルの軸受部１５外周面にその基部が貫通して立設されるプランジャ２０とを備え、該プランジャの外方先端に設けられたクラッチノブ２２を外方に引くことにより、プランジャに進退自在に内挿された連結ピン２１をバルブ駆動軸から退出させて回転ハンドルとバルブ駆動軸とを非連結とするバルブ開閉機であって、クラッチノブの外方面２２ａに連結ピン２１の進退状態を示す標識部２４を設け、クラッチノブの外方面を覆う目隠し板２７を取り付け、目隠し板の一部を開口させた表示部２３から連結ピンの進退状態を示す識別部２４を視認できるようにした。【選択図】図２
0003166956.tif 000002
【実用新案登録請求の範囲】
【請求項１】
回転ハンドル（１４）と、
前記回転ハンドル（１４）を回転自在に軸支するバルブ駆動軸（１２）と、
前記バルブ駆動軸（１２）を同心状に内装しているハンドル軸支持部（１６）と、
前記回転ハンドル（１４）の軸受部（１５）外周面にその基部が貫通して立設される略円筒状のプランジャ（２０）と、を備え、
前記プランジャ（２０）の外方先端に設けられたクラッチノブ（２２）を外方に引くことにより、
前記プランジャ（２０）に進退自在に内挿された連結ピン（２１）を前記バルブ駆動軸（１２）から退出させて前記回転ハンドル（１４）と前記バルブ駆動軸（１２）とを非連結とするバルブ開閉機（１０）であって、
前記クラッチノブ（２２）の外方面（２２ａ）に連結ピン（２１）の進退状態を示す標識部（２４）を設け、
前記クラッチノブ（２２）の外方面（２２ａ）を覆う目隠し板（２７）を取り付けるとともに、
前記目隠し板（２７）の一部を開口させた表示部（２３）から前記連結ピン（２１）の進退状態を示す識別部（２４）を視認できるようにしたことを特徴とするバルブ開閉機。
【請求項２】
前記プランジャ（２０）のクラッチノブ外方面（２２ａ）を覆う目隠し板（２７）に設けられた表示部（２３）が、
目隠し板（２７）を取り付けたセンタ軸（２６）中心から略扇状に開口されたものであり、センタ軸（２６）を中心として点対称に２個設けられていることを特徴とする請求項１に記載のバルブ開閉機。
【請求項３】
前記プランジャ（２０）の外周面にキー溝（２８）を形成し、
クラッチノブ（２２）に設けられているキー（２９）をキー溝（２８）に嵌合することによって、
回転ハンドル（１４）とバルブ駆動軸（１２）との連結状態と表示部（２３）の表示状態とを一致させるようにしたことを特徴とする請求項１又は２に記載のバルブ開閉機。
【考案の詳細な説明】
【技術分野】
【０００１】
本考案は、液体や気体を流す配管に組み込まれ、配管内の流体の遮断、通過、流量調整を行うためのバルブ開閉機に関し、詳しくはクラッチ機構を有するバルブ開閉機に関する。
【背景技術】
【０００２】
従来から化学工場などの多くの機器、装置には配管が有機的に結合されており、このような配管等内の流体の遮断、通過、流量調整を行なうためのバルブの開閉は回転ハンドルによる人力操作や、エアモータ、電気モータ等の駆動により行なわれている。とくに石油、化学プラント等では防爆性に優れたエアモータで駆動されるバルブ開閉機が多く用いられている（特許文献１参照）。
このようなバルブ開閉機においては、現場の作業者は、エアモータ、電気モータ等の駆動源を用いる場合と、回転ハンドルによる手動操作を適宜切り替えて行っており、その状態を表示するための標識となる開閉札などをバルブのハンドルなどに取付けて外部からでも確認できるようにしていた。
【先行技術文献】
【特許文献】
【０００３】
【特許文献１】特開２００２−３２３１６４号公報
【考案の概要】
【考案が解決しようとする課題】
【０００４】
前記したような従来のバルブ開閉機においては、モータ等の駆動源を用いている運転中は、手動操作用の回転ハンドルが、ハンドル軸とは切り離されており非回転状態であることを外部からでも視認できるようにするために、その状態を表示するための標識となる開閉札などが取付けられているが、その都度付け替えなければならず煩雑であり、回転ハンドルの回転状態と非回転状態とを確実に判別しにくいため安全性に欠ける場合があった。
本考案は前記従来の課題を解決するためになされたもので、バルブ装置の開閉操作が、駆動源を用いている場合に回転ハンドルが回転状態にあり、駆動源を用いていない場合に回転ハンドルが非回転状態にあることを確実に表示することができるバルブ開閉機を提供することを目的とする。
【課題を解決するための手段】
【０００５】
（１）本考案のバルブ開閉機は、回転ハンドルと、前記回転ハンドルを回転自在に軸支するバルブ駆動軸と、前記バルブ駆動軸を同心状に内装しているハンドル軸支持部と、前記回転ハンドルの軸受部外周面にその基部が貫通して立設される略円筒状のプランジャと、を備え、
前記プランジャの外方先端に設けられたクラッチノブを外方に引くことにより、前記プランジャに進退自在に内挿された連結ピンを前記バルブ駆動軸から退出させて前記回転ハンドルと前記バルブ駆動軸とを非連結とするバルブ開閉機であって、
前記クラッチノブの外方面に連結ピンの進退状態を示す標識部を設け、前記クラッチノブの外方面を覆う目隠し板を取り付けるとともに、
前記目隠し板の一部を開口させた表示部から前記連結ピンの進退状態を示す識別部を視認できるようにしたことを特徴とする。
（２）本考案のバルブ開閉機は、前記（１）において、プランジャのクラッチノブ外方面を覆う目隠し板に設けられた表示部が、目隠し板を取り付けたセンタ軸中心から略扇状に開口されたものであり、センタ軸を中心として点対称に２個設けられていることを特徴とする。
（３）本考案のバルブ開閉機は、前記（１）又は（２）において、前記プランジャの外周面にキー溝を形成し、クラッチノブに設けられているキーをキー溝に嵌合することによって、回転ハンドルとバルブ駆動軸との連結状態と表示部の表示状態とを一致させるようにしたことを特徴とする。
【考案の効果】
【０００６】
本考案のバルブ開閉機は、プランジャの外方先端に設けられたクラッチノブを外方に引くことにより、プランジャに進退自在に内挿された連結ピンをバルブ駆動軸から退出させて回転ハンドルとバルブ駆動軸とを非連結とし、クラッチノブの外方面に連結ピンの進退状態を示す識別部を設け、クラッチノブの外方面を覆う目隠し板を取り付けるとともに、目隠し板の一部を開口させた表示部から連結ピンの進退状態を示す識別部を視認できるようにしたので、回転ハンドルが回転状態におかれているか非回転状態におかれているかを容易に視認することができ、バルブの開閉操作における安全性を増して、操作性に優れたバルブ開閉機を提供することができる。
【図面の簡単な説明】
【０００７】
【図１】本考案の実施例のバルブ開閉機の構造を示す右断面説明図である。
【図２】本考案の実施例のバルブ開閉機のプランジャ動作状態を示す断面説明図であり、（ａ）は連結ピンをバルブ駆動軸の貫通孔へ進出させた状態を示し、（ｂ）は連結ピンをバルブ駆動軸の貫通孔から退出させて９０度回転させた状態を示し、（ｃ）は目隠し板の表示部から視認される（ａ）の位置に対応する標識部を示し、（ｄ）は（ｂ）の位置に対応する標識部を示す。
【図３】本考案の実施例のバルブ開閉機のプランジャ動作状態を示す外観説明図であり、（ａ）はキーをキー溝に嵌合させた状態を示し、（ｂ）はキーをキー溝から抜いて９０度回転させた状態を示し、（ｃ）は目隠し板を取り外したときの（ａ）の位置に対応する標識部を示し、（ｄ）は（ｂ）の位置に対応する標識部を示す。
【図４】本考案の実施例のバルブ開閉機のクラッチノブの識別部及び表示部を説明する細部説明図であり、（ａ）は（ｂ）のＡ−Ａ部分断面図であり、（ｂ）は正面図である。
【図５】プランジャの連結ピンがバルブ駆動軸の貫通孔へ進出している状態を示す説明図である。
【図６】プランジャの連結ピンがバルブ駆動軸の貫通孔から退出している状態を示す説明図である。
【図７】回転ハンドルとバルブ駆動軸とが連結状態にあるときの表示部から視認される識別部を示す説明図である。
【図８】回転ハンドルとバルブ駆動軸とが非連結状態にあるときの表示部から視認される識別部を示す説明図である。
【考案を実施するための形態】
【０００８】
本実施形態のバルブ開閉機は、手動操作でバルブを開閉して配管内を流れる流体を、遮断、通過、流量調整を行う回転ハンドルを備えており、回転ハンドルを回転自在に軸支するバルブ駆動軸と、バルブ駆動軸を同心状に内装しているハンドル軸支持部と、回転ハンドルの軸受部外周面にその基部が貫通して立設される略円筒状のプランジャと、を備えている。
そして、プランジャの外方先端に設けられたクラッチノブを外方（バルブ駆動軸から遠くなる方向）に引くことにより、プランジャに進退自在に内挿された連結ピンをバルブ駆動軸から退出させて回転ハンドルとバルブ駆動軸とを非連結とする。
さらに、本実施形態のバルブ開閉機は、クラッチノブの外方面に連結ピンの進退状態を示す識別部を設け、クラッチノブの外方面を覆う目隠し板を取り付けるとともに、目隠し板の一部を開口させた表示部から連結ピンの進退状態を示す識別部を視認できるようになっている。
【０００９】
バルブ開閉機は、ゲートバルブやボールバルブなどの既存のバルブ装置に取付けられ、エアモータなどにより減速歯車を駆動するようになっている。
【００１０】
本考案のバルブ開閉機に備えられた回転ハンドルは、バルブ開閉機本体のハンドル軸支持部に回転自在に軸支されており、手動操作時においてバルブ駆動軸と連結状態にして、バルブ開閉機本体のバルブの開閉操作をするものである。このような回転ハンドルとバルブ駆動軸との連結又は非連結は、回転ハンドルの軸受部外周面にその基部が貫通して立設される略円筒状のプランジャ内に進退自在に内挿された連結ピンによって行うようになっている。
【００１１】
回転ハンドルの軸受部を回転自在に軸支するハンドル軸支持部は、バルブ開閉機本体の上方に突出して設けられている。そして、回転ハンドルの軸受部外周面には、回転する軸受部をバルブ駆動軸に連結するための連結ピンを進退自在に内包するプランジャの基部が立設されている。プランジャの外方先端には、連結ピンの進退操作を行うためのクラッチノブが設けられている。
【００１２】
プランジャの外方に設けられている表示部は、回転ハンドルがバルブ駆動軸と連結又は非連結状態であることを、外部から視認することができる開口部であり、クラッチノブの外方面を覆う目隠し板の一部を開口して設けられており、連結ピンの進退位置に対応して、例えば回転ハンドルがバルブ駆動軸とが連結状態であるときは赤色が、非連結状態であるときは緑色が視認できるようになっている。
【実施例】
【００１３】
以下、実施例によって、本考案のバルブ開閉機を詳細に説明する。図１はバルブ開閉機の構造を示す右断面説明図である。
実施例のバルブ開閉機１０において、その動力源となるエアモータ１１はバルブ開閉機１０のケースに取付けられており、エアモータ１１の歯車の回転力は、図示しない１次減速歯車部、２次減速歯車部、３次減速歯車部を経てバルブ駆動軸１２に伝達されるようになっている。
また、バルブ開閉機１０は、図１に示すように、バルブ開閉機本体１７の上方に取付け金具を介して連結されており、エアモータ１１や回転ハンドル１４の回転力がバルブ駆動軸１２に負荷されるようになっている。
【００１４】
バルブ開閉機本体１７の上方には、ハンドル軸支持部１６が固定されており、ハンドル軸支持部１６の内側にはバルブ駆動軸１２が同心状に内装されている。
そして、バルブ駆動軸１２の上部に、回転ハンドル１４が、その内径部が回転自在に固着されている。回転ハンドル１４の軸受部１５外周面には、連結ピン２１を進退自在に保持するプランジャ２０が立設されており、回転ハンドル１４の操作時にはプランジャ２０の中心部に固着された連結ピン２１をバルブ駆動軸１２の貫通孔１３に進出させてバルブ駆動軸１２と回転ハンドル１４とを連結するようになっている。
【００１５】
連結ピン２１の進退操作は、プランジャ２０の外方（バルブ駆動軸１２から遠くなる方向）に延出し、かつ外周方向に回転するクラッチノブ２２を操作することによって、連結ピン２１の先端をバルブ駆動軸１２の貫通孔１３に向けて進出させて、回転ハンドル１４とバルブ駆動軸１２とを機械的に連結又は非連結させるようになっている。
すなわち、連結ピン２１の先端がバルブ駆動軸１２に設けられた貫通孔１３に挿入されると、回転ハンドル１４とバルブ駆動軸１２とを機械的に連結され、回転ハンドル１４とバルブ駆動軸１２とが一体となって回転する（クラッチＯＮの状態となる）。
一方、連結ピン２１を貫通孔１３から退出させると、回転ハンドル１４とバルブ駆動軸１２とは非連結状態となる（クラッチＯＦＦの状態）となる。
【００１６】
前記プランジャ２０のクラッチノブ外方面２２ａを覆う目隠し板２７には、目隠し板２７を取り付けたセンタ軸２６中心から略扇状に開口された表示部２３が設けられており、クラッチノブ２２の外方面２２ａに設けられた識別部２４を表示部２３を通して外部から視認できるようになっている。本実施例では、表示部２３がセンタ軸２６を中心として点対称に２個設けられている。
【００１７】
図２はプランジャ動作状態を示す断面説明図であり、（ａ）は連結ピンをバルブ駆動軸の貫通孔へ進出させた状態を示し、（ｂ）は連結ピンをバルブ駆動軸の貫通孔から退出させて９０度回転させた状態を示す。また、（ｃ）は目隠し板の表示部から視認される（ａ）の位置に対応する標識部を示し、（ｄ）は（ｂ）の位置に対応する標識部を示す。
図３はプランジャ動作状態を示す外観説明図であり、（ａ）はキーをキー溝に嵌合させた状態を示し、（ｂ）はキーをキー溝から抜いて９０度回転させた状態を示す。また、（ｃ）は目隠し板を取り外したときの（ａ）の位置に対応する標識部を示し、（ｄ）は（ｂ）の位置に対応する標識部を示す。
図４はクラッチノブの識別部及び表示部を説明する細部説明図であり、（ａ）は（ｂ）のＡ−Ａ部分断面図であり、（ｂ）は正面図である。
【００１８】
図示するように、プランジャの外方面には標識部（シール）２４が設けられており、回転ハンドル１４とバルブ駆動軸１２とが機械的に連結された状態であるか、連結ピン２１がバルブ駆動軸１２の貫通孔１３から退出して非連結状態であるかを、表示部２３を通して外部から視認できるようになっている。
すなわち、図２及び図３の（ａ）（ｃ）はキーをキー溝に嵌合させた状態（クラッチＯＮの状態）を示し、（ｂ）（ｄ）はキーをキー溝から抜いて９０度回転させた状態（クラッチＯＦＦの状態）を示している。
【００１９】
外部から視認できる標識部２４は、例えば、図２及び図３の（ａ）（ｃ）のクラッチＯＮの状態を表示させる場合は赤色シールＲを貼付しておき、図２及び図３の（ｂ）（ｄ）のクラッチＯＦＦの状態を表示させる場合は緑色シールＧとする。
【００２０】
このような標識部２４は、目隠し板２７を取り外した状態を示す図３において、クラッチノブ２２の外方面３１に赤と緑の色分けしたシール（識別部）２４を、９０度ごとに交互に貼付してあり、クラッチノブ２２の外周を把持して引いて連結ピン２１を退出させた後に回転操作することにより、目隠し板２７の表示部２３を通して、連結ピン２１が進出したクラッチＯＮ状態（連結状態）の場合は赤色のシールＲが、連結ピン２１が退出したクラッチＯＦＦ状態（非連結状態）では緑色のシールＧが視認されるようになっている。
目隠し板２７は、クラッチノブ２２の外方面２２ａに貼付された識別部（シール）２４を覆うようにセンタ軸２６の先端部にビス２５によって固着されている。
【００２１】
図５はプランジャの連結ピンがバルブ駆動軸の貫通孔へ進出している状態を示す説明図である。
図６はプランジャの連結ピンがバルブ駆動軸の貫通孔から退出している状態を示す説明図である。
図７は回転ハンドルとバルブ駆動軸とが連結状態にあるときの表示部から視認される識別部を示す説明図である。
図８は回転ハンドルとバルブ駆動軸とが非連結状態にあるときの表示部から視認される識別部を示す説明図である。
図示するように、プランジャ２０の外周面にはキー溝２８が形成されており、クラッチノブ２２に設けられているキー２９をこのキー溝２８に嵌合することによって、回転ハンドル１４とバルブ駆動軸１２との連結状態と表示部２３の表示状態とを一致させるようになっている。
また、連結ピン２１を退出させたクラッチＯＦＦ状態（非連結状態）では、キー２９の位置を９０度回転させてキー溝２８には嵌合しないようにしている。
【００２２】
以上説明したように、本実施例のバルブ開閉機１０では、回転ハンドル１４でバルブを操作する開閉機構において、クラッチノブ２２で連結ピン２１を進退させる（抜き差しする）ことによって、回転ハンドル１４とバルブ駆動軸１２とを連結又は非連結にすることができる。
そして、このクラッチノブ２２の表示部２３から視認されるシール（識別部）２４の色彩によって、回転ハンドル１４とバルブ駆動軸１２との連結又は非連結状態を外部から容易に視認することができる。
【産業上の利用可能性】
【００２３】
本考案のバルブ開閉機は、プランジャの外方先端に設けられたクラッチノブを外方に引くことにより、プランジャに進退自在に内挿された連結ピンをバルブ駆動軸から退出させて回転ハンドルとバルブ駆動軸とを非連結とし、クラッチノブの外方面に連結ピンの進退状態を示す識別部を設け、クラッチノブの外方面を覆う目隠し板を取り付けるとともに、目隠し板の一部を開口させた表示部から連結ピンの進退状態を示す識別部を視認できるようにしたので、回転ハンドルが回転状態におかれているか非回転状態におかれているかを容易に視認することができ、バルブの開閉操作における安全性を増して、操作性に優れており、産業上の利用可能性が極めて高い。
【符号の説明】
【００２４】
１０    バルブ開閉機
１１    エアモータ
１２    バルブ駆動軸
１３    貫通孔
１４    回転ハンドル
１５    軸受部
１６    ハンドル軸支持部
１７    バルブ開閉機本体
２０    プランジャ
２１    連結ピン
２２    クラッチノブ
２２ａ  外方面
２３    表示部
２４    標識部（シール）
２５    ビス
２６    センタ軸
２７    目隠し板
２８    キー溝
２９    キー
３１  クラッチノブの外方面
Ｒ  赤色のシール
Ｇ  緑色のシール
【図１】
0003166956.tif 000003
【図２】
0003166956.tif 000004
【図３】
0003166956.tif 000005
【図４】
0003166956.tif 000006
【図５】
0003166956.tif 000007
【図６】
0003166956.tif 000008
【図７】
0003166956.tif 000009
【図８】
0003166956.tif 000010